(57)【要約】【課題】練習をすることなく誰でも初めから簡単に少ない動作でしかも目で見える範囲での作業、すなわち実質的に横か前での作業だけで着ることができる簡単袴を提供する。【解決手段】袴本体と、該袴本体の後身頃を体に固定するための袴ベルトとからなり、該袴ベルトが、そのベルト自由端から所定の位置に袴の腰板に下方から挿入可能な連結板がベルト側部より突出する形態で配設されており、かつ、ベルト自由端部にベルトの２つの自由端部を互いに連結するための手段を備えており、該袴本体が、該袴ベルトの連結板と連結するための受け部を腰板に備えており、該袴ベルトの連結板と腰板の受け部が固定されていることを特徴とする簡単袴。【選択図】図１
2013127143.tif 000002
【特許請求の範囲】
【請求項１】
袴本体と、該袴本体の後身頃を体に固定するための袴ベルトとからなり、
該袴ベルトが、そのベルト自由端から所定の位置に袴の腰板に下方から挿入可能な連結板がベルト側部より突出する形態で配設されており、かつ、ベルト自由端部にベルトの２つの自由端部を互いに連結するための手段を備えており、
該袴本体が、該袴ベルトの連結板と連結するための受け部を腰板に備えており、
該袴ベルトの連結板と腰板の受け部が固定されていること、
を特徴とする簡単袴。
【請求項２】
袴本体の後身頃を体に固定するための袴ベルトであって、
該袴ベルトが、そのベルト自由端から所定の位置に袴の腰板に下方から挿入可能な連結板がベルト側部より突出する形態で配設されており、かつ、ベルト自由端部にベルトの２つの自由端部を互いに連結するための手段を備えていること、
を特徴とする袴用のベルト。
【請求項３】
連結板の基板部分にスリットが設けられており、ベルトの一部が板ゴムで形成されており、ベルトが該スリットに挿通されて輪になっている請求項２記載の袴用のベルト。
【請求項４】
請求項２または３記載の袴ベルトの連結板と連結するための受け部を腰板に備えている袴本体。
【請求項５】
後身頃の腰板の両横側面の近傍に取り付けられている２個のリングと、前身頃に固定されている前紐とを有し、
該リングが前紐の自由端を挿通し得る大きさと形状であること、
を特徴とする簡単袴本体。
【請求項６】
後身頃の腰板の両横側面に連結手段の一方の器具が取り付けられ、前身頃に固定されている前紐の２つの自由端に連結手段の他方の器具が取り付けられていること、
を特徴とする簡単袴本体。
【発明の詳細な説明】
【技術分野】
【０００１】
本発明は、簡単に着用できる袴に関する。
【背景技術】
【０００２】
和服としての袴は、羽織と共に正装として、あるいは作業用の野袴などとして日本古来の着物であるが、その着用には袴下着も含め、多数本の紐や帯を締める必要があり、その手数の多さから敬遠されてきており、独りで着用できるまでにはかなりの練習が必要になっている。
【０００３】
そこで、袴を簡単に着用できるような改良が数多く提案されている。たとえば紐をベルトのようにバックルや面状ファスナーを用いて結合することで締め、結ぶという作業をなくす提案（特許文献１〜７）、紐の長さや通す位置を工夫する提案（特許文献８、９）、袴を載せる帯や台をベルト型にする提案（特許文献１０〜１３）がなされている。
【０００４】
これらの提案の多くは、面状ファスナーを多用して装着を容易にしているが、伝統的な袴の着方である袴前身頃を先に前紐（ベルト）で体に固定したのち腰板を備える袴後身頃を後紐で体に取り付けるものである。
【０００５】
しかし、この着方では前身頃の固定は前紐を体の後ろで固定する必要があり、さらに袴の後身頃は腰板などのため重くなっており、前身頃を固定してから後ろ手で取り上げ、後紐で固定しなければならない。このように、体の後ろでの作業が常にどこかで必要になっている。後ろ手による作業は人間にとって難しい作業であり、また体の後ろでの作業は作業する状態が見えないため、多くの場合、補助者が必要になる。
【０００６】
数多くの特許文献のなかで特許文献１だけは、先に後身頃の後紐を使って面状ファスナーで留めることを提案している。ついで、前身頃に縫い付けてある角帯に縫い付けられた２本の前紐（一方はゴム製）を前紐に取り付けられたバックルなどで体の後ろで留める。袴台（腰枕）は袴板の下側に縫い付けられている。
【０００７】
この特許文献１の簡単袴は、先に後身頃を固定してしまうと、前紐をバックルで結合する際に腰板の裏側を通す必要があり、後ろ手の作業となってしまう。また、前紐の一方をゴムにして袴中心を被着用者の体型に合わせようとしているが、一方が布製であるため、許容範囲が狭く、バックルの位置が外から見えるか、あるいは腰板の裏側となり、異物感を与えてしまう。加えて、角帯や袴台（腰枕）を袴に縫い付けているため洗濯が難しく、しかも畳んで仕舞うことができない。
【０００８】
また、特許文献１３は女袴に関する発明であるが、その図４と図５に袴下帯と袴の連結を改良した態様が提案されている。特許文献１３によれば、袴下帯を面状ファスナーやボタンを用いたベルト形式にし、袴と袴下帯との連結のために、袴下帯に連結用の帯板を受けるポケット部を設け、帯板の突起部を袴の後中央部に差し込むことで連結している。
【０００９】
しかし、この特許文献１３に記載の袴下帯は固定用の面状ファスナーやボタンのほか、腰板用のポケット、位置決め用の袴係止具などを設けることが必要になっている。
【先行技術文献】
【特許文献】
【００１０】
【特許文献１】実用新案登録第３０２４１４４号明細書
【特許文献２】実用新案登録第３０９１８０９号明細書
【特許文献３】実用新案登録第３０７５０５２号明細書
【特許文献４】実用新案登録第３０５７２０９号明細書
【特許文献５】実用新案登録第３０７４０４０号明細書
【特許文献６】特開２０００−１４４５０６号公報
【特許文献７】特開２００５−８９９４８号公報
【特許文献８】特開２００６−１９３８７７号公報
【特許文献９】実用新案登録第３０４３３５７号明細書
【特許文献１０】特開平９−１８８９０９号公報
【特許文献１１】実用新案登録第３０２６５０７号明細書
【特許文献１２】特開２００２−３０９４２７号公報
【特許文献１３】特開２００１−３５５１０６号公報
【発明の概要】
【発明が解決しようとする課題】
【００１１】
本発明は、練習をすることなく誰でも初めから簡単に少ない動作でしかも目で見える範囲での作業、すなわち実質的に横か前での作業だけで着ることができる簡単袴を提供することを目的とする。
【００１２】
本発明の別の目的は、着用時に簡単にトイレで用を足せることができる簡単袴を提供することにある。
【００１３】
本発明の更に別の目的は、着用後の保管が簡単なように、袴に無用の小物を取り付けなくて済む簡単袴を提供することにある。
【００１４】
また本発明の別の目的は、１人のインストラクターの着付けを見て真似ることで多数の人が一度に着付けが完了する簡単着物を提供することにある。
【００１５】
更にまた本発明の目的は、既存の従来の袴を極めて少ない修正で作製できる簡単袴を提供することにある。
【課題を解決するための手段】
【００１６】
すなわち本発明は、
袴本体と、該袴本体の後身頃を体に固定するための袴ベルトとからなり、
該袴ベルトが、そのベルト自由端から所定の位置に袴の腰板に下方から挿入可能な連結板がベルト側部より突出する形態で配設されており、かつ、ベルト自由端部にベルトの２つの自由端部を互いに連結するための手段を備えており、
該袴本体が、該袴ベルトの連結板と連結するための受け部を腰板に備えており、
該袴ベルトの連結板と腰板の受け部が固定されていることを特徴とする簡単袴に関する。
【００１７】
また本発明は、袴本体の後身頃を体に固定するための袴ベルトであって、該袴ベルトが、そのベルト自由端から所定の位置に袴の腰板に下方から挿入可能な連結板がベルト側部より突出する形態で配設されており、かつ、ベルト自由端部にベルトの２つの自由端部を互いに連結するための手段を備えていることを特徴とする袴用のベルトに関する。
【００１８】
また本発明は、連結板の基板部分にスリットが設けられており、ベルトの一部が板ゴムで形成されており、ベルトが該スリットに挿通されて輪になっている袴用のベルトにも関する。
【００１９】
本発明はまた、本発明の袴ベルトの連結板と連結するための受け部を腰板に備えている袴本体にも関する。
【００２０】
袴ベルトの連結板と腰板の受け部との固定は、完全に固定されていてもよいし、着脱可能な形態で固定されていてもよい。
【００２１】
袴ベルトのベルトは、着物の角帯であることが好ましい。
【００２２】
本発明の袴ベルトにおいて、ベルト自由端部にベルトの２つの自由端部を互いに連結するための手段が面状ファスナーであることが、簡単に連結と取り外しが可能な点から好ましい。また、各種バックルなどの手芸用具または一般のベルト用の止め具を採用してもよい。
【００２３】
本発明の袴ベルトにおいて、連結板に腰枕を取り付けることが好ましい。取付け方は、完全に固定してもよいし、面状ファスナーやスナップボタンなどで着脱可能に取り付けてもよい。
【００２４】
本発明はまた、袴本体の前身頃を極めて簡単な動作で体に固定することができる簡単袴本体にも関する。
【００２５】
かかる簡単袴本体の１つは、後身頃の腰板の両横側面の近傍に取り付けられている２個のリングと、前身頃に固定されている前紐とを有し、該リングが前紐の自由端を挿通し得る大きさと形状であることを特徴とする。
【００２６】
簡単袴本体を体に固定する仕方としては、前紐の自由端を対応するリングに内側から挿通し、挿通した前紐の２つの自由端を同時に引くことにより、袴の前身頃を引き上げ固定することができる。引いた前紐は、たとえば締め付けられている紐に挟み込めばよい。
【００２７】
リングと紐を用いた場合、前紐を比較的長く作ることができ、したがって、腹囲の大きな体格のよい人から痩せた人まで、紐の引き具合で調節が可能であるので、比較的少ないサイズを用意すればよい。
【００２８】
また、別の簡単袴本体としては、後身頃の腰板の両横側面に連結手段の一方の器具（たとえば面状ファスナーの一方、バックルの一方など）が取り付けられ、前身頃に固定されている前紐の２つの自由端に連結手段の他方の器具（たとえば面状ファスナーの他方、バックルの他方など）が取り付けられていることを特徴とする。
【００２９】
この場合、リングと紐を用いた場合より、前紐の長さに自由度が少ないため、腹囲の大きさに対応したサイズのものを比較的多く用意する必要が出てくるが、連結が確実で容易であるというメリットもある。
【発明の効果】
【００３０】
本発明の簡単袴によれば、練習をすることなく誰でも初めから簡単に少ない動作でしかも目で見える範囲での作業、すなわち実質的に横か前での作業だけで着ることができる。
【００３１】
本発明の別の目的は、着用時に簡単にトイレで用を足せることができる簡単袴を提供することにある。
【００３２】
本発明の更に別の目的は、着用後の保管が簡単なように、袴に無用の小物を取り付けなくて済む簡単袴を提供することにある。
【００３３】
また本発明の別の目的は、１人のインストラクターの着付けを見て真似ることで多数の人が一度に着付けが完了する簡単袴を提供することにある。
【００３４】
更にまた本発明の目的は、既存の従来の袴を極めて少ない修正で作製できる簡単袴を提供することにある。
【図面の簡単な説明】
【００３５】
【図１】本発明の簡単袴において、袴本体に袴ベルトを連結する仕方を説明するための概略図である。
【図２】本発明の簡単袴において、袴本体に袴ベルトを連結する仕方を説明するための概略断面図である。
【図３】本発明の簡単袴において、袴本体の後身頃に袴ベルトを連結した状態の概略正面図である。
【図４】図３のＸ−Ｘ線断面図である。
【図５】本発明の簡単袴において、袴本体に袴ベルトを連結した状態の概略背面図である。
【図６】本発明の袴ベルトの概略正面図である。
【図７】図６のＹ−Ｙ線断面図である。
【図８】本発明の袴ベルトに用いる連結板の別の態様の概略正面図である。
【図９】本発明の袴ベルトの別の態様の概略正面図である。
【図１０】本発明の袴本体における後身頃の腰板部分の概略正面図である。
【図１１】本発明の袴本体における前身頃の概略正面図である。
【図１２】本発明の袴本体における前身頃と後身頃の締め方を説明するための概略図である。
【発明を実施するための形態】
【００３６】
本発明の簡単袴は、袴本体と、該袴本体の後身頃を体に固定するための袴ベルトとからなる。
【００３７】
簡単袴本体と袴ベルトを連結した状態を示す図面が図１〜５であり、袴ベルトを説明するための図面が図６〜９であり、簡易袴本体を説明するための図面が図１０〜１１である。
【００３８】
説明は、まず、袴ベルト、ついで簡単袴本体についてし、最後に、両者を連結して袴を穿く方法について説明をする。
【００３９】
本発明の袴ベルト１０は、たとえば図６に示すように、そのベルト自由端１４ａ、１４ｂから所定の位置に袴の後身頃（図１０の符号２２）の腰板（図１０の符号２３）に設けられた受け部（図１０の符号２４）に下方から挿入可能な連結板１１がベルト１２側部より突出する形態で配設されており、かつ、ベルト自由端部１４ａ、１４ｂにベルト１２の２つの自由端部１４ａ、１４ｂを互いに連結するための手段１５ａ、１５ｂを備えている。また、腰枕１３を連結板１１の付近のベルト１２に取り付けてもよい。
【００４０】
連結板１１の形状は、袴ベルト１０を袴の腰板に固定できるものであれば、形も矩形に限らず、円、半円、楕円、台形でもよく、適当な異形でもよい。たとえば、図８に示すように、ベルト１２との連結領域を広くするべく、拡張部分１８を設けてもよい。また、材質も、ポリプロピレン、ポリエチレン、ポリエステル、ポリ塩化ビニルなどの各種プラスチックのシートやボードのほか、厚紙（防水加工したもの）でも金属板でもよい。厚さも、重すぎず、また、硬すぎないものであれば、材質に応じて適宜選定すればよい。通常、０．１〜２ｍｍの範囲が好ましい。
【００４１】
ベルト１２は袴本体の後身頃２２（図１０）を体に止める目的で用いるベルトであり、洋服のベルトと同様の働きをする。したがって、材質、強度、大きさ（サイズ）、長さ等は上記の目的に照らして適宜選定すればよい。たとえば、着流しで用いられている角帯でもよいし、革（合成皮革も含む）を加工して帯状にしてもよいし、一部にゴムを介した帯としてもよい。
【００４２】
ベルト１２の自由端１４ａおよび１４ｂの近傍には、自由端同士を連結するための手段１５ａおよび１５ｂが設けられている。図６では、この連結手段は面状ファスナーとしているが、他の連結手段、たとえばバックル、ボタン、スナップなどでもよい。ウエストの違いに適切に対応する点からは、面状ファスナーが好ましく、連結の強さの点からはバックル等が好ましい。また、これらを組み合わせて用いてもよい。
【００４３】
図７は図６のＹ−Ｙ線断面図である。図７に示す態様では、ベルト１２は角帯で連結板１１を挟み込んでいる。また、腰枕１３中には綿１７など、軽くてボリュームのある素材が詰め込まれている。なお、腰枕１３自体をプラスチック製の容器の形態にしてもよい。
【００４４】
袴ベルトにおける連結版とベルトとの組合せは、たとえば図９に示すように、ベルト１２ａの一部に板ゴム１９ａを使用し、連結板１１ａの基板部分１８ａに配設されたスリット１９ｂに輪を通す形で繋いだ態様でもよい。この態様では、着用者の腹囲に合わせて板ゴムが伸びるので、サイズ対応が容易になると共に、固定用の面状ファスナー等の負担も軽減される。また、姿勢により（たとえば背筋を伸ばしたときと屈みこんだときで）腹囲が変化するが、板ゴムの伸び縮みでベルトが腹囲の変化に追随するので着崩れることもない。なお、図９のように連結板に設けたスリットに輪を通す形で繋ぐことにより、常に外からは角帯しか見えないので、外観を損ねることもない。
【００４５】
つぎに簡単袴本体について、図１０〜１１を参照して説明する。
【００４６】
図１０は簡単袴の後身頃２２の概略正面図であり、図１１は同じく前身頃２１の概略正面図である。後身頃２２には腰板２３が取り付けられており、その両側端にそれぞれ連結用リング２５が取り付けられている。連結用リング２５の取り付け位置は、これまでの袴であれば、腰板を固定する後紐（図示されていない）が取り付けられている位置であることが好ましい。
【００４７】
また、本発明においては、腰板２３には袴ベルト１０の連結板１１を挿入し固定するための受け部２４が設けられている。この受け部２４は、たとえば図２および４に示すように、腰板の芯材２６と布地２７との間に設けてもよいし、図示していないが、布地の上にポケットとして設けてもよい。要は、袴ベルト１０と腰板２３がしっかりと固定できればよい。
【００４８】
連結板１１と受け部２３との連結は、たとえば面状ファスナー１６（図６）および２８で着脱自在に連結してもよいし、ビスなどの機械的手段や接着剤などの化学的手段で固定してもよい。
【００４９】
図１１に示す前身頃２１には、前紐２９ａ、２９ｂが取り付けられている。前紐２９の自由端には、たとえば比較的大きな輪３０ａ、３０ｂを取り付けることが好ましい。この輪３０は、図１２に示すように、後身頃２２の腰板２３に取り付けたれた連結用リング２５に前紐２９ａ、２９ｂを通した後に前紐２９ａ、２９ｂの自由端に取り付け、前紐２９ａ、２９ｂが連結用リング２５から外れないようにしておくと、着付け時の段取りが容易になる。
【００５０】
また、連結用リング２５として、図１０と図１２に示すようなバックル型のもののほか、リングを２個用いて仮止めできる連結形態等にしてもよい。
【００５１】
図１０〜１１および図１〜５に示す実施形態では、腰板２３に短い連結用リング２５を設け、前身頃２１の前紐２９を長くして腰板の近くで締めるようにしているが、逆に、図示していないが、前身頃２１の前紐を短くしてその端に連結用リングを付け、一方、腰板２３には後紐として比較的長い紐を付け、前で締め付けるようにしてもよい。
【００５２】
つぎに袴ベルト１０と簡単袴本体を連結して袴を穿く方法について、図１〜５を参照しながら説明をする。
【００５３】
図１および図２は、それぞれ袴本体の後身頃２２に袴ベルト１０を連結する仕方を説明するための概略図および概略断面図である。図３は、本発明の簡単袴において、袴本体の後身頃２２に袴ベルト１０を連結した状態の概略正面図であり、図４は、図３のＸ−Ｘ線断面図である。図５は、袴本体の後身頃２２に袴ベルトを連結した状態を背後から見た概略図である。
【００５４】
図１および図２に示すように、袴ベルト１０の連結板１１を簡単袴本体の後身頃２２の腰板２３に設けられている受け部２４に下から差し込むことにより、仮に連結する。腰板２３への連結板１１の固定は、たとえば連結板１１に設けられている面状ファスナー１６と受入れ口４の内部に設けられている面状ファスナー２８を貼り付けることで着脱可能な固定ができる。半永久的に固定する場合は、図示していないが、連結板と腰板に孔を開け、糸で結びつけるか金属製の留め具で固定してもよい。
【００５５】
差し込み後固定した状態が図３および図４、さらには図５である。通常、袴ベルト１０には腰枕１３が取り付けられており、袴の後の布を盛り上げる働きをしている（図４参照）。
【００５６】
つぎに本発明の簡単袴の着方を説明する。
【００５７】
まず、上記のように連結されセットされた袴本体と袴ベルトを、
（１）左右のベルト１２をそれぞれ両手に持ち、足を順番に袴の前身頃と後身頃の間の空間に入れる。
（２）ついで、ズボンを穿く要領でベルトを持って後身頃を持ち上げ腰板を尻の上に載せる。
（３）この状態で、袴ベルトの先端部分１４、１４ｂにそれぞれ設けられている面状ファスナー１５ａ、１５ｂを自分のウエストに合わせて貼り合せ、袴の後身頃を体に固定する。
（４）ついで、前身頃を持ち上げ、要すれば、袴ベルトの先端部分に取り付けられている面状ファスナー１７（図６）と前身頃の内側に取り付けられている面状ファスナー３１（図１１）を中心位置を確認しながら貼り合せ、前身頃を仮に固定する。
（５）前身頃が仮止めされたら、腰板の両端に設けられている連結リングにそれぞれ通された前紐をそれぞれ片手ずつで持ち、両脇に引くことで前身頃を引き付ける。
（６）そのまま前紐の先を体の前を回して反対側の紐に巻きつけ挟み込むなどして固定する。
あとは、袴の位置の調整をすることで、本発明の簡単袴を穿くことができる。
【００５８】
このように、本発明の簡単袴によれば、手を後ろに回す作業はなく、体の前か横での作業で済み、しかも、紐を結ぶという作業もなく、誰にでも容易に短時間で、自分自身で着ることができる。したがって、簡単なマニュアルを見るだけで自宅でも簡単に着ることができる。
【００５９】
また、体の前か横での作業により自分自身で着ることができるので、多数の人に同時に着付けることができる。たとえば着付けのインストラクターが、初めて着物を着る人達の前で上記の６つの動作をし、それを真似るだけで着ることができる。
【００６０】
以上に主として腰板を持つ男性用の簡単袴について説明したが、腰板のない女性用の袴（男性用ものもある）も簡単化できる。
【００６１】
たとえば、袴の左右の前紐を板ゴムで繋ぎ、さらに袴の後中央部で板ゴムを袴と連結することにより、フリーサイズのスカートのごとく、簡単に穿くことができる。袴としてズボンタイプの馬乗り袴でもよいが、スカートタイプの行燈袴の方が着用が容易である。この腰板のない簡単袴の場合も通常、袴下帯を締めるが、袴下帯としては、連結板を特に設ける必要はなく、角帯（または細帯）の両端に面状ファスナーを設け、ベルトのように巻きつけて固定するだけでも、外観やフィット感は問題がない。袴は、たとえば袴に取り付けられているヘラを袴下帯と体の間に差し込むことで袴下帯に固定できる。
【符号の説明】
【００６２】
１０  袴ベルト
１１  連結板
１１ａ  連結板
１２  ベルト
１２ａ  ベルト
１３  腰枕
１４ａ  ベルト自由端部
１４ｂ  ベルト自由端部
１５ａ  連結手段
１５ｂ  連結手段
１６  面状ファスナー
１７  面状ファスナー
１８  拡張部分
１９ａ  板ゴム
１９ｂ  スリット
２０  袴本体
２１  前身頃
２２  後身頃
２３  腰板
２４  受け部
２５  連結用リング
２６  芯材
２７  布地
２８  面状ファスナー
３１  面状ファスナー
【図１】
2013127143.tif 000003
【図２】
2013127143.tif 000004
【図３】
2013127143.tif 000005
【図４】
2013127143.tif 000006
【図５】
2013127143.tif 000007
【図６】
2013127143.tif 000008
【図７】
2013127143.tif 000009
【図８】
2013127143.tif 000010
【図９】
2013127143.tif 000011
【図１０】
2013127143.tif 000012
【図１１】
2013127143.tif 000013
【図１２】
2013127143.tif 000014